(57)【要約】【課題】従来のペット用胴輪は、構成要素が多いため、材料の面からのコストと、製作に要するコスト共に高いという課題がある。【解決手段】本発明では、帯状体１を無端環状に構成すると共に、その周の長さを調節可能に構成し、無端環状の帯状体により、１つの交差部２と、２つの輪状部３ａ，３ｂを形成すると共に、交差部は、交差する帯状体を保持手段４により相対移動可能に保持する構成とし、２つの輪状部の帯状体の夫々に、連結用帯状体１０ａ，１０ｂを取り付けたリング９ａ，９ｂを移動可能に嵌め、夫々の連結用帯状体には、相互連結部材１１ａ，１１ｂとリード連結用部材１２ａ，１２ｂを設けた胴輪により上記の課題を解決している。【選択図】    図１
2008131913.tif 000002
【特許請求の範囲】
【請求項１】
帯状体を無端環状に構成すると共に、その周の長さを調節可能に構成し、無端環状の帯状体により、１つの交差部と、２つの輪状部を形成すると共に、交差部は、交差する帯状体を保持手段により相対移動可能に保持する構成とし、２つの輪状部の帯状体の夫々に、連結用帯状体を取り付けたリングを移動可能に嵌め、夫々の連結用帯状体には、相互連結部材とリード連結用部材を設けたことを特徴とするペット用胴輪。
【請求項２】
交差部の保持手段が、交差する一方側の帯状体に設け、他方側の帯状体を挿通支持する挿通部材であることを特徴とする請求項１に記載のペット用胴輪。
【請求項３】
挿通部材が、一方側の帯状体に形成し、他方側の帯状体を挿通させる筒状部であることを特徴とする請求項２に記載のペット用胴輪。
【請求項４】
挿通部材が、一方側の帯状体に取り付けたリングであることを特徴とする請求項２に記載のペット用胴輪。
【請求項５】
交差部の保持手段が、交差する一対の挿通部を有し、夫々の挿通部に、交差する帯状体の夫々を挿通させる構成の保持部材であることを特徴とする請求項１に記載のペット用胴輪。
【請求項６】
交差部の保持手段が、交差する帯状体の夫々を個別に挿通させる一対の挿通部を有するリング状保持部材であることを特徴とする請求項１に記載のペット用胴輪。
【請求項７】
交差部の保持手段が、交差する帯状体の両方を挿通させる共通のリングであることを特徴とする請求項１に記載のペット用胴輪。
【請求項８】
帯状体の両端側を取り外し可能な連結部材により連結して無端環状に構成したことを特徴とする請求項１〜７までのいずれか１項に記載のペット用胴輪。
【請求項９】
取り外し可能な連結部材が長さ調節手段を兼用する構成としたことを特徴とする請求項８に記載のペット用胴輪。
【発明の詳細な説明】
【技術分野】
【０００１】
本発明は、本発明は、犬、猫、猿等のペットに使用するペット用胴輪に関するものである。
【背景技術】
【０００２】
犬等のペットを散歩させる時などに使用するペット用胴輪は、従来から各種のものが提案されている。
【０００３】
例えば特許文献１には、犬の体長方向の前後側に対応させた一対の帯状体の両端を夫々連結部材で連結し、連結部材にはリードを連結するためのリングを備えた連結用帯状体が連結されており、また前後側の一対の帯状体間には、一対の帯状体の間隔が拡がるのを規制するための規制用帯状体が設けられており、更に夫々の帯状体はペットの大きさに対応させるために長さ調節可能に構成されているペット用胴輪が記載されている。尚、特許文献１には、前後の帯状体のいずれをも前肢と後肢間の胴に対応させた使用状態が記載されているが、前側の帯状体は前肢の前側に対応させることもできるものである。
【０００４】
即ち、特許文献２に記載されたペット用胴輪は、概ね、特許文献１のペット用胴輪と同様に、犬の体長方向の前後側に対応させた一対の帯状体の両端を夫々連結部材で連結し、連結部材にはリードを連結するためのリングを備えた連結用帯状体が連結されており、また前後側の一対の帯状体間には、一対の帯状体の間隔が拡がるのを規制するための規制用帯状体が設けられており、更に夫々の帯状体は長さ調節可能に構成されており、そして一方側の上記連結用帯状体には、他の連結用帯状との連結用リングが設けられたペット用胴輪が記載されている。
【０００５】
この特許文献２に記載された胴輪の使用状態は、特許文献１とは異なり、前側の帯状体を前肢の前側に対応させ、後側の帯状体を前肢と後肢の間の胴に対応させている。
【０００６】
次に特許文献３に記載されたペット用胴輪は、概ね、特許文献１のペット用胴輪と同様に、犬の体長方向の前後側に対応させた一対の帯状体の両端を夫々連結部材で連結し、連結部材にはリードを連結するためのリングを備えた連結用帯状体が連結されており、また前後側の一対の帯状体間には、一対の帯状体の間隔が拡がるのを規制するための規制用帯状体が設けられており、更に夫々の帯状体は長さ調節可能に構成されており、そして上記連結用帯状体の両方には連結部材であるバックルが設けられているペット用胴輪が記載されている。
【特許文献１】特公平２−４６２８０号公報
【特許文献２】特開２００１−６９８６９号公報
【特許文献３】特開平５−１２３０７３号公報
【発明の開示】
【発明が解決しようとする課題】
【０００７】
以上に説明した従来のペット用胴輪は、いずれも、前側と後側の帯状体を連結部材で連結していること、前側と後側の帯状体のいずれも長さ調節可能に構成していること、前側と後側の帯状体間に規制用帯状体を設けていることが構成上の特徴となっており、構成要素が多いため、材料の面からのコストと、製作に要するコスト共に高いという課題がある。
本発明は、このような課題を解決することを目的とするものである。
【課題を解決するための手段】
【０００８】
以上の課題を解決するために、本発明では、帯状体を無端環状に構成すると共に、その周の長さを調節可能に構成し、無端環状の帯状体により、１つの交差部と、２つの輪状部を形成すると共に、交差部は、交差する帯状体を保持手段により相対移動可能に保持する構成とし、２つの輪状部の帯状体の夫々に、連結用帯状体を取り付けたリングを移動可能に嵌め、夫々の連結用帯状体には、相互連結部材とリード連結用部材を設けたペット用胴輪を提案する。
【０００９】
また本発明では、上記の構成のペット用胴輪において、交差部の保持手段は、交差する一方側の帯状体に設け、他方側の帯状体を挿通支持する挿通部材とすることを提案する。
【００１０】
また本発明では、上記の挿通部材は、一方側の帯状体に形成し、他方側の帯状体を挿通させる筒状部とすることを提案する。
【００１１】
また本発明では、上記の挿通部材を、一方側の帯状体に取り付けたリングとすることを提案する。
【００１２】
また本発明では、上記の交差部の保持手段を、交差する一対の挿通部を有し、夫々の挿通部に、交差する帯状体の夫々を挿通させる構成の保持部材とすることを提案する。
【００１３】
また本発明では、上記の交差部の保持手段を、交差する帯状体の夫々を個別に挿通させる一対の挿通部を有するリング状保持部材とすることを提案する。
【００１４】
また本発明では、上記の交差部の保持手段を、交差する帯状体の両方を挿通させる共通のリングとすることを提案する。
【００１５】
また本発明では、以上の構成のペット用胴輪において、帯状体は、その両端側を取り外し可能な連結部材により連結して無端環状に構成することを提案する。
【００１６】
また本発明では、上記の取り外し可能な連結部材が、長さ調節手段を兼用する構成とすることを提案する。
【発明の効果】
【００１７】
本発明のペット用胴輪では、無端環状に構成した帯状体により形成された２つの輪状部の一方側にペットの前肢の左側を入れ、同様に他方側の輪状部に前肢の右側を入れた後、夫々の輪状部の帯状体にリングを介して取り付けている連結用帯状体をペットの背中側に移動し、背中側において両方の連結用帯状体に設けた相互連結部材を連結する。
【００１８】
このように相互連結部材を連結することにより、２つの輪状部の帯状体は、交差部側がペットの腹側に位置した状態で、前肢の付け根を通ってペットの背中側で連結されて、ペットの胴部を囲んで支持する。
【００１９】
以上の状態において、夫々の連結用帯状体に設けたリード連結用部材にリードを接続して使用することができる。
【００２０】
以上の取り付けに際して、ペットの胴囲の個体差は、帯状体の無端環状の周の長さを調節して、上記夫々の輪状部の大きさを調節することにより吸収することができる。
【００２１】
このように帯状体の無端環状の周の長さを調節した際、無端環状の帯状体が、交差部において保持手段により相対移動可能であること、また夫々の連結用帯状体が、それを取り付けるためのリングにより帯状体に沿って移動可能であるため、交差部と輪状部と連結用帯状体の相対位置を常に最適位置に調節することができる。
【００２２】
帯状体は、取り外しができないような無端環状に構成することもできるが、帯状体の両端側を取り外し可能な連結部材により連結して、取り外し可能な無端環状とすることができる。この際、連結部材は、帯状体の長さ調節手段を兼用する構成とすれば、構成が簡素化されると共にコスト低減に効果的である。
【００２３】
交差部の保持手段は、交差する一方側の帯状体に設け、他方側の帯状体を挿通支持する筒状部やリング等の挿通部材により構成することができるが、保持手段としての挿通部材は、いずれの側の帯状体にも固定しない独立した構成とすることにより、２つの輪状部の大きさが釣り合う条件での帯状体の長さ調節範囲を広くすることができ、ペットの胴囲の個体差に対しての調節範囲を広くすることができる。
【００２４】
交差部の保持手段としての挿通部材は、共通のリングにより構成することができ、非常に簡素な構成の胴輪を構成することができる。
【発明を実施するための最良の形態】
【００２５】
次に本発明を実施するための最良の形態を添付図面を参照して説明する。
まず図１〜図７は本発明に係る胴輪の第１の実施の形態を示すものである。
これらの図において符号１は帯状体を示すもので、この帯状体１は後述する長さ調節具により無端環状に構成されている。この無端環状の帯状体１により、１つの交差部２と、２つの輪状部３ａ，３ｂを形成し、交差部２は、交差する帯状体１が相対移動可能に保持手段により保持される構成としている。この実施の形態では保持手段は共通のリング４であり、交差する２つの帯状体１が共通のリング４に挿通されている。帯状体１の材料は、天然繊維、合成繊維等の適宜の材質のものを利用することができ、またリング４の材料も、金属、プラスチックス等適宜である。
【００２６】
上述したとおりこの実施の形態では、帯状体１は長さ調節具５により、両端側を連結して無端環状と形成している。従ってこの長さ調節具５は、長さ調節手段としての他、帯状体１を無端環状とするための連結部材を兼用している。
【００２７】
この長さ調節具５は、例えば図４に断面図で示すように、枠体６の中間に設けた棒状部７により２つの挿通部を設けた構成としており、帯状体１の一端部１ａは棒状部７に接続されると共に、帯状体１の他端部１ｂは棒状部７に接続された帯状体１の端部を巻いて枠体６の２つの挿通部を通過させ、重なった帯状体１間の摩擦力により帯状体１のずれを防止するものである。この長さ調節具は、「コキ」と称されるものである。
【００２８】
そして帯状体１の他端部１ｂには、それが他の帯状体１から離れるのを防ぐための保持部材８を設けている。この保持部材８は「サルカン」と称されるものである。
【００２９】
次に、２つの輪状部３ａ，３ｂの帯状体１には、夫々リング９ａ，９ｂを移動可能に嵌めており、このリング９ａ，９ｂには連結用帯状体１０ａ，１０ｂを取り付けている。
【００３０】
これらの連結用帯状体１０ａ，１０ｂには、相互連結部材１１ａ，１１ｂと、リード連結用部材１２ａ，１２ｂが設けられている。即ち、この実施の形態においては、相互連結部材１１ａ，１１ｂは、相互に連結可能なバックルにより構成しており、リード連結用部材１２ａ，１２ｂはリングりより構成している。
【００３１】
以上の構成の本発明のペット用胴輪では、帯状体１により形成された２つの輪状部３ａ，３ｂの一方側、例えば輪状部３ａにペット１３の前肢の左側を入れ、同様に他方側の輪状部３ｂに前肢の右側を入れた後、リング９ａ，９ｂを介して帯状体１に取り付けている連結用帯状体１０ａ，１０ｂをペット１３の背中側に移動する。そして、背中側において両方の連結用帯状体１０ａ，１０ｂに設けた相互連結部材１１ａ，１１ｂを連結する。（図１、図２及び図７を参照。）
【００３２】
このように相互連結部材１１ａ，１１ｂを連結することにより、２つの輪状部３ａ，３ｂを構成する無端環状の帯状体１は、交差部２側がペット１３の腹側に位置した状態で、前肢の付け根を通ってペット１３の背中側で連結されて、ペット１３の胴部を囲んで支持する。（図５、図６参照）
【００３３】
以上の状態において、夫々の連結用帯状体１０ａ，１０ｂに設けたリード連結用部材１２ａ，１２ｂに、例えばフック状等の連結部材を介してリード（図示省略）を接続して使用することができる。
【００３４】
以上の取り付けに際して、ペット１３の胴囲の個体差は、長さ調節具５により帯状体１の無端環状の周の長さを調節して、上記輪状部３ａ，３ｂの大きさを調節することにより吸収することができ、こうして胴囲の異なるペット１３においても適切に使用することができる。
【００３５】
即ち、帯状体１の上記他端部１ｂが長さ調節具５の近傍に位置する図１、図２及び図４（ａ）に示された状態では、帯状体１の無端環状の周の長さが長く、従ってこの帯状体１によって形成される２つの輪状部３ａ，３ｂも大きいので、胴囲の大きなペット１３に適している。
【００３６】
一方、より小さな胴囲のペットに対しては、図３及び図４（ｂ）に示されるように、帯状体１の他端部１ｂが長さ調節具５から離れるように、長さ調節具５から帯状体１を引き出すと、帯状体１の無端環状の周の長さが短くなるので、この無端環状の帯状体１によって形成される２の輪状部３ａ，３ｂも小さくなり、こうして小さな胴囲のペットに対応することができる。
【００３７】
本発明の胴輪では、このように帯状体１の長さを調節した際、帯状体１は、交差部２において保持手段であるリング４により保持されてはいるが、交差部の２つの帯状体２は相対移動可能であると共に、夫々の連結用帯状体１０ａ，１０ｂが、それを取り付けるためのリング９ａ，９ｂにより帯状体１に沿って移動可能であるため、交差部２と輪状部３ａ，３ｂと連結用帯状体１０ａ，１０ｂの相対位置を最適位置に調節することができる。
【００３８】
特に、第１の実施の形態では、交差部２の保持手段は、交差する２つの帯状体１が挿通されるリング４であるから、胴輪の構成が非常に簡素であり、低コストで製作できると共に、上述した交差部２と輪状部３ａ，３ｂと連結用帯状体１０ａ，１０ｂの相対位置の調節範囲、従ってペットの胴囲の適用範囲が非常に広いというような特徴がある。
【００３９】
以上に述べたとおり、第１の実施の形態における交差部２の保持手段は、帯状体１を挿通させる挿通部材が、いずれの側の帯状体１にも固定されていない構成の内、最も簡単な構成であるリングを適用しているが、例えば図８に示すような構成のものを適用することもできる。
【００４０】
即ち、図８は本発明の第２の実施の形態を示すもので、この実施の形態では、交差部２において帯状体１が挿通される部材は、筒状部１４ａ，１４ｂを交差形状に一体化した構成である。
【００４１】
このような挿通部材は、リングと比較して製作は面倒であるが、リングを用いたものと同様に、胴輪の構成が非常に簡素となり、低コストで製作できると共に、上述した交差部２と輪状部３ａ，３ｂと連結用帯状体１０ａ，１０ｂの相対位置の調節範囲、従ってペットの胴囲の適用範囲が非常に広いというような特徴がある。尚、挿通部材の材料としては、プラスチックス等の比較的剛性を有する材質のものを使用することもできるし、布や皮革等の柔軟な材質のものを使用することもできる。
【００４２】
次に図９〜図１２は本発明の第３の実施の形態を示すもので、この実施の形態では、交差部２における保持手段の構成と、帯状体１を無端環状とするための構成と、長さ調節手段の構成が、第１の実施の形態と異なっている。尚、これらの図では、上記第１の実施の形態を示す図１〜図７に記載された構成要素と同様な構成要素には同一の符号を付して重複する説明は省略する。
【００４３】
即ち、この第３の実施の形態では、交差部２の保持手段は、交差する帯状体１の一方側に縫製等により筒状部１５を形成し、この筒状部１５に、交差する他方側の帯状体１を挿通させて相対移動可能に保持する構成としている。この際、筒状部１５は図に示されるように、連続している帯状体１に、他の帯状片１６を縫いつけて構成する他、図示は省略しているが、接続する帯状体１の夫々の端部を、他の端部から所定距離離れた位置で縫製等により固定して筒状部を構成することもできる。
【００４４】
次にこの第３の実施の形態では、帯状体１は、帯状体の両端側にバックル等の相互連結部材１７ａ，１７ｂを設けて、これらを相互に連結することにより無端環状に形成するものとしている。そしてバックル１７ｂ側の帯状体１には、図９〜図１１に示されるように、枠体１８の中間に棒状部１９を有する構成の長さ調節具２０を設けており、この構成において、帯状体１は長さ調節具２０の枠体１８と棒状部１９の間の２つの挿通部を挿通させ、バックル１７ｂの後端に設けた折返し部２１で折り返した後、長さ調節具２０の棒状部１９に接続して長さ調節機構を構成している。
【００４５】
以上の構成において、図９に示す状態から長さ調節具２０を図１０に示す状態へと移動させることにより、帯状体１の無端環状の周の長さを短くすることができ、こうして２つの輪状部３ａ，３ｂの大きさを小さくして、より胴囲の小さいペット１３において適切に使用することができる。
【００４６】
次に図１３は本発明の第４の実施の形態を示すもので、この実施の形態では、帯状体１を無端環状とするための構成が第３の実施の形態と異なっている。このため、図１３では、第３の実施の形態を示す図９〜図１２に記載された構成要素と同様な構成要素には同一の符号を付して重複する説明は省略する。
【００４７】
即ち、この実施の形態では、第３の実施の形態におけるバックル１７ａ，１７ｂに代えて、枠部材２２を、上記相互連結部材１７ａ，１７ｂと折返し部２１に代替させるものである。
【００４８】
この実施の形態では、帯状体１は無端環状を解くことはできないが、構成が簡素化されるという利点がある。
【００４９】
以上、本発明の胴輪の第１〜第４の実施の形態を図を参照して説明したが、本発明の胴輪は、上記実施の形態の構成に限定されるものではない。
【００５０】
例えば、第１の実施の形態において、交差部２の保持手段としてのリング４は円形であるが、角形とすることができる。また交差部２の保持手段は、本発明の第５の実施の形態として、単なるリングではなく、枠体２３に中間棒２４を設けて２つの挿通部を構成した部材、即ち上述した「コキ」状の部材を使用して、交差する２つの帯状体１を、リング４よりも、より拘束的に保持することができる。
【００５１】
また第１の実施の形態において、帯状体１を無端環状とするための連結手段と、無端環状に形成された帯状体１の長さ調節手段は、第３、第４の実施の形態に示す手段を使用することができる。
【００５２】
更に第３、第４の実施の形態において、交差部２の保持手段は、第１の実施の形態のリング４や、図８に示される第２の実施の形態のものを使用することができる。
【００５３】
更に本発明の胴輪において、帯状体１を無端環状とするための連結部材と、無端環状に形成された帯状体１の長さ調節手段は、上記実施の形態で挙げたものの他、公知の適宜の手段を使用することもできる。
【産業上の利用可能性】
【００５４】
本発明は以上のとおり、少ない構成要素により、ペットの胴囲の個体差に適用できる胴輪を製作することができ、材料の面からのコストと、製作に要するコストを共に低減できるという特徴があり、犬、猫あるいは猿等のペットの胴輪として利用可能性が大である。
【図面の簡単な説明】
【００５５】
【図１】本発明に係る胴輪の第１の実施の形態を示す斜視図で、使用の前後の状態を示している。
【図２】本発明に係る胴輪の第１の実施の形態を示す斜視図で、使用状態をペット無しで示している。
【図３】図１の状態から帯状体の無端環状の周の長さを短くした状態を示す斜視図である。
【図４】本発明に係る胴輪の第１の実施の形態を示す要部断面図で、（ａ）及び（ｂ）により帯状体の長さ調節状態を示している。
【図５】本発明に係る胴輪の第１の実施の形態の使用状態をペット共に示す斜視図である。
【図６】本発明に係る胴輪の第１の実施の形態の使用状態を図５とは別の位置からペット共に示す斜視図である。
【図７】本発明に係る胴輪の第１の実施の形態の使用前後の状態をペット共に示す斜視図である。
【図８】本発明に係る胴輪の第２の実施の形態の要部を示す斜視図である。
【図９】本発明に係る胴輪の第３の実施の形態を示す斜視図で、使用していない状態を示している。
【図１０】図９の状態から帯状体の無端環状の周の長さを短くした状態を示す斜視図である。
【図１１】本発明に係る胴輪の第３の実施の形態の要部を示す斜視図である。
【図１２】本発明に係る胴輪の第３の実施の形態の使用状態をペット共に示す斜視図である。
【図１３】本発明に係る胴輪の第４の実施の形態を示す斜視図で、使用していない状態を示している。
【図１４】本発明に係る胴輪の第５の実施の形態の要部を示す斜視図である。
【符号の説明】
【００５６】
１              帯状体
１ａ          帯状体の一端部
１ｂ          帯状体の他端部
２              交差部
３ａ，３ｂ      輪状部
４              リング（保持手段）
５              長さ調節具（長さ調節手段、連結部材）
６              枠体
７              棒状部
８              保持部材
９ａ，９ｂ      リング
１０ａ，１０ｂ  連結用帯状体
１１ａ，１１ｂ  バックル（相互連結部材）
１２ａ，１２ｂ  リード連結用部材
１３            ペット
１４ａ，１４ｂ  筒状部
１５            筒状部
１６            帯状片
１７ａ，１７ｂ  バックル（相互連結部材）
１８            枠体
１９            棒状体
２０            長さ調節具
２１            折返し部
２２            枠部材
２３            枠体
２４            中間棒
【図１】
2008131913.tif 000003
【図２】
2008131913.tif 000004
【図３】
2008131913.tif 000005
【図４】
2008131913.tif 000006
【図５】
2008131913.tif 000007
【図６】
2008131913.tif 000008
【図７】
2008131913.tif 000009
【図８】
2008131913.tif 000010
【図９】
2008131913.tif 000011
【図１０】
2008131913.tif 000012
【図１１】
2008131913.tif 000013
【図１２】
2008131913.tif 000014
【図１３】
2008131913.tif 000015
【図１４】
2008131913.tif 000016